(57)【要約】【課題】広告表示プレートの、床面への再粘着に際しての移動において、前記台紙用シートを用い、粘着面を覆うことで、粘着面相互の貼り付きを防止できるように工夫した広告表示プレートの構造を提供する。【解決手段】商品陳列区画の正面における通路側床面に敷設される広告表示プレートであって、前記商品陳列区画に陳列される商品に係わる広告情報を表示する表示面を上面に備えたプレートが、前記床面に対して剥離可能に粘着する粘着面を下面に備えていると共に、前記粘着面には、再粘着可能に粘着する台紙用シートが剥離可能に付帯していることを特徴とする。【選択図】　　　　　図２
2004117904.tif 000002
【特許請求の範囲】
【請求項１】
商品陳列区画の正面における通路側床面に敷設される広告表示プレートであって、前記商品陳列区画に陳列される商品に係る広告情報を表示する表示面を上面に備えたプレートが、前記床面に対して剥離可能に粘着する粘着面を下面に備えていると共に、前記粘着面には、再粘着可能に粘着する台紙用シートが剥離可能に付帯していることを特徴とする広告表示プレート。
【請求項２】
前記プレートは、プレート本体上面に粘着面を構成しており、該粘着面に対して、広告表示シートが、剥離可能かつ再粘着可能に粘着されていることを特徴とする請求項１に記載の広告表示プレート。
【請求項３】
前記プレートは、プレート本体上面に液晶画像表示部またはプラズマ画像表示部を備えており、その上側に透明な強化ガラスまたは強化プラスチックの保護カバーが装着されていることを特徴とする請求項１に記載の広告表示プレート。
【請求項４】
前記プレートは、前記液晶画像表示部またはプラズマ画像表示部に表示される画像情報を受信する受信部を装備していることを特徴とする請求項３に記載の広告表示プレート。
【請求項５】
前記プレート本体は、軟質または硬質の塩化ビニルかポリオレフィンのシートで構成されることを特徴とする請求項１〜４の何れか１項に記載の広告表示プレート。
【発明の詳細な説明】
【０００１】
【発明の属する技術分野】
本発明は、主として、利用サービスを含む商品を販売する店舗や開発商品の展示場などの通路床面を利用して、商品陳列区画の正面に敷設されて、前記商品陳列区画に陳列される商品・陳列品に係わる広告情報を表示するようにした広告表示プレートに関するものである。
【０００２】
【従来の技術】
この種の広告表示プレートとしては、特開２０００−２７６０８７号に所載のものが知られている。この広告表示プレートは、前記商品陳列区画に陳列される商品に係る広告情報を表示する表示面を上面に備えた可撓性シート（主として、合成樹脂シート）からなり、これが、前記床面に対して剥離可能に粘着する粘着面を下面に備えている。そして、前記粘着面には、通常、台紙用シートが剥離可能に粘着されている。
【０００３】
この形式で使用される広告表示プレートは、商品陳列区画が小さい場合でも、通路側の床面を利用できるため、広い広告面を確保でき、顧客に対する広告効果が絶大である。そして、同じ商品陳列区画に対して、商品・陳列品の入れ替えがある場合、その商品・陳列品に対応する広告表示を行うため、床面から広告表示プレート（可撓性シート）を剥がして、新たな広告表示プレートと交換する。また、当該商品・陳列品について、商品陳列区画を変更する場合は、床面から広告表示プレートを剥がして、新たな陳列区画の正面の床に対して前記広告表示プレートを粘着・定置するのである。
【先行技術文献１】
特開２０００−２７６０８７号公報（第３−４頁）
【０００４】
【発明が解決しようとする課題】
しかしながら、同一個所での商品・陳列品の展示が比較的短期の場合、その都度、広告表示プレートを床面から剥がして破棄するのは不経済である。また、当該広告表示プレートを剥がして別の商品陳列区画の正面で、床面に貼り直す場合、その持ち運びが面倒である。因みに、前記広告表示プレート（可撓性シート）は、床面での定着性を十分に確保する必要から、相当な粘着力を、その粘着面に与えているので、移動に際して、粘着面相互が貼り付くと、殆ど剥離が困難である（通常、可撓性シートの粘着面に貼り付けてある台紙用シートは、最初の床面への広告表示プレートの粘着に際して剥離された後、殆ど破棄されており、また、剥離を容易にするために再粘着されないような貼り付け面、あるいは、素材で構成されている）。
【０００５】
本発明は、上記事情に基づいてなされたもので、その第１の目的とするところは、プレート裏面の粘着面に対して台紙用シートの再粘着性を備えることで、広告表示プレートの、床面への再粘着に際しての移動において、前記台紙用シートを用い、粘着面を覆うことで、粘着面相互の貼り付きを防止できるように工夫した広告表示プレートの構造を提供することである。
【０００６】
本発明の第２の目的とするところは、プレート上面にも粘着面を設けて、これに広告表示シートを粘着させることで、同一の商品陳列区画について、プレート自体の貼り替えを行わず、広告表示シートのみの貼り替えにより、その商品陳列区画での、商品・陳列品の変更に対応させることができるように工夫した広告表示プレートの構造を提供することである。
【０００７】
本発明の第３の目的とするところは、設定された商品陳列区画について、その正面の通路側床面に広告表示シートを粘着させ、当該商品陳列区画での商品・陳列品の変更に合わせて、電気的に広告内容を変更できるように工夫した広告表示プレートの構造を提供することである。
【０００８】
【課題を解決するための手段】
この第１の目的を達成するため、本発明では、商品陳列区画の正面における通路側床面に敷設される広告表示プレートであって、前記商品陳列区画に陳列される商品に係る広告情報を表示する表示面を上面に備えたプレートが、前記床面に対して剥離可能に粘着する粘着面を下面に備えていると共に、前記粘着面には、再粘着可能に粘着する台紙用シートが剥離可能に付帯していることを特徴とする。
【０００９】
また、第２の目的を達成するため、本発明では、上述の広告表示プレートにおいて、前記プレートは、プレート本体上面に粘着面を構成しており、該粘着面に対して、広告表示シートが、剥離可能かつ再粘着可能に粘着されていることを特徴とする。
【００１０】
更に、第３の目的を達成するため、本発明では、上述の広告表示プレートにおいて、前記プレートがプレート本体上面に液晶画像表示部またはプラズマ画像表示部を備えており、その上側に透明な強化ガラスまたは強化プラスチックの保護カバーが装着されていることを特徴とする。
この場合、本発明の実施の形態として、前記プレートは、前記液晶画像表示部またはプラズマ画像表示部に表示される画像情報を受信する受信部を装備していることが有効である。
【００１１】
【発明の実施の形態】
以下、本発明の実施の形態を、図面を参照して具体的に説明する。なお、図１および図２は本発明に係る第１の実施の形態を示す斜視図であり、図３は本発明に係る第２の実施の形態を示す縦断側面図であり、図４〜図６は本発明に係る第３の実施の形態を示す構成図である。
【００１２】
（第１の実施の形態）
商品陳列区画（この実施の形態では、商品展示棚１）の正面における通路側床面２に敷設される広告表示プレート３が本発明の構造を持っている。即ち、商品陳列区画に陳列される商品に係る広告情報３１を表示する表示面３２を上面に備えたプレート３３が、樹脂タイルやフローリングで構成される床面２に対して剥離可能に粘着する粘着面３４を下面に備えていると共に、粘着面３４には、再粘着可能に粘着する台紙用シート３５が剥離可能に付帯している。
【００１３】
更に詳述すると、プレート３３は、可撓性を有する合成樹脂材料、例えば、軟質または硬質の、塩化ビニルかポリオレフィン（特に、後者の場合は、プレートの廃棄焼却処分に際して、ダイオキシンなどの有害ガスを発生しないメリットがある）でシート状に構成され、その厚さも、例えば０．１５ｍｍ〜１．５ｍｍとする。また、プレート裏面の粘着面３４は、プレート３３側に対する粘着強度が、床面２に対する粘着強度より十分強いことが必要である（これは、プレート３３を剥離した際、床面に粘着材が残留しないようにするためである）。通常、床面２に対する粘着強度は、シール粘着といわれる、ＪＩＳ：Ｚ−１５２８に規定された常態粘着力（４００〜２０００ｇｆ／２５ｍｍ）とするのがよい。
【００１４】
このため、粘着面３４として、プレート３３の下面には、上記粘着強度を配慮した粘着材層が設けられる。この粘着材層は、合成ゴム（例えば、ニトリルゴム、スチレンゴム、クロロプレンゴム）や天然ゴムに粘着付与材を、必要なら、更に、軟化剤や老化防止剤を配合したゴム系、ガラス転移温度の異なる複数のアクリル酸エステルと他種の感応性単量体とを共重合したアクリル系、シリコンゴムと樹脂とからなるシリコン系、ポリウレタン系よりなる、感圧接着剤から構成できる。
【００１５】
上記粘着材層は、粘着強度の強い第１の粘着材層と粘着強度の弱い第２の粘着材層とを、直接に、あるいは、樹脂シートを介してその両面に設けた２層構造とし、第１の粘着材層をプレート３３の下面に、第２の粘着材層を床面側に備えると良い。
【００１６】
なお、プレート３３の上面には、例えば、顔料着色した樹脂粉末を用いてオフセットパターンを転写することにより、所要の広告表示（文字、画像表示）を行い、その表面に、透明樹脂膜による保護層を施すことが好ましい。また、プレート３３は、歩行者の躓きを回避するため、できるだけ薄く構成するのが良く、必要なら、その周縁での段差を少なくするため、周縁部上面に傾斜を形成する（図示せず）ことが好ましい。
【００１７】
プレート３３の裏面において、剥離可能に貼り付けられる台紙用シート３６は、粘着面３４に対して、再粘着性を確保できる程度の貼り付け面、または、素材で構成される必要がある。このため、広告表示プレートとして製造されるとき、十分な機械圧で粘着材層に貼り付けてある状態では、貼り付いているが、一度、粘着材層から剥離された後、再度、貼り付く状態を得るには、粘着面３４に対して、局所的な操作による手動圧でも貼り付くだけの表面粗さ、表面材質を選択することになる（ここでは、最初の剥離の際、粘着度が高くなり、剥離操作に支障を来さないように、粘着材層の材質との親和性を考慮する）。例えば、床面への粘着材層の粘着力の数分の１〜数十分の１程度の粘着性を選択するのである。
【００１８】
このような構成では、プレート３３の裏面の粘着面３４に対して台紙用シート３５の再粘着性を備えることで、広告表示プレート３の、床面２への再粘着に際しての移動において、台紙用シート３５を再度、用い、粘着面３４を覆うことで、粘着面３４相互の貼り付きを防止できる。このため、商品陳列区画の変更に伴う広告表示プレート３の移動・貼り替えが円滑に行えるメリットが得られる。
【００１９】
（第２の実施の形態）
この実施の形態では、広告表示プレート３は、図３に示すように、そのプレート３３（可撓性シート）上面にも粘着面３６を設けて、これに広告表示シート３７を剥離可能に粘着させる。これにより、同一の商品陳列区画について、プレート３３自体の貼り替えを行わず、広告表示シート３７のみの貼り替えにより、その商品陳列区画での、商品・陳列品の変更に対応させることができる。この場合には、広告表示シート３７は、広告表示面に補強用の透明プラスチック保護膜をラミネートするだけの簡単な構造とすることができるため、その交換だけで、当該商品陳列区画の正面における、そこでの商品・陳列品の広告を低コストで実現できるメリットがある。
【００２０】
（第３の実施の形態）
この実施の形態では、上述の広告表示プレート３がプレート本体３３’の上面に、符号３８で示す液晶画像表示部またはプラズマ画像表示部を備えており、その上側に透明な強化ガラスまたは強化プラスチックの保護カバー３９が装着されている。なお、この実施の形態では、プレート本体３３’は、その一部に扁平な設置空間（図示せず）を設けて、前記液晶画像表示部またはプラズマ画像表示部に表示される画像情報を受信する受信部４１（アンテナ、変調回路、復調回路などの画像受信要素を含む）を装備している。
【００２１】
また、供給電源として直流電圧を用いるので、充電バッテリー４２を備えており、これには、充電時、コネクタ４３を介して交流・直流変換器４４が接続でき、商用交流電源（図示せず）から、電力供給を受ける。そして、発信側機器４５からは、各商品陳列区画に対応して、広告表示のための画像信号が、各広告表示プレート３のアドレス毎に、配信される。このようにして、設定された商品陳列区画について、その正面の通路側床面２に広告表示シート３を粘着させ、当該商品陳列区画での商品・陳列品の変更に合わせて、電気的に広告内容を変更できるのである。
【００２２】
【発明の効果】
本発明は、以上詳述したように、商品陳列区画の正面における通路側床面に敷設される広告表示プレートであって、前記商品陳列区画に陳列される商品に係る広告情報を表示する表示面を上面に備えたプレートが、前記床面に対して剥離可能に粘着する粘着面を下面に備えていると共に、前記粘着面には、再粘着可能に粘着する台紙用シートが剥離可能に付帯していることを特徴とする。従って、広告表示プレートの、床面への再粘着に際しての移動において、前記台紙用シートを用い、粘着面を覆うことで、粘着面相互の貼り付きを防止できる。
【００２３】
また、本発明は、上述の広告表示プレートにおいて、前記プレートは、プレート本体上面に粘着面を構成しており、該粘着面に対して、広告表示シートが、剥離可能かつ再粘着可能に粘着されていることを特徴とする。従って、同一の商品陳列区画について、プレート自体の貼り替えを行わず、広告表示シートのみの貼り替えにより、その商品陳列区画での、商品・陳列品の変更に対応させることができる。
【００２４】
更に、本発明は、上述の広告表示プレートにおいて、前記プレートがプレート本体上面に液晶画像表示部またはプラズマ画像表示部を備えており、その上側に透明な強化ガラスまたは強化プラスチックの保護カバーが装着されていることを特徴とする。従って、設定された商品陳列区画について、その正面の通路側床面に広告表示シートを粘着させ、当該商品陳列区画での商品・陳列品の変更に合わせて、電気的に広告内容を変更できる。
【図面の簡単な説明】
【図１】本発明に係る第１の実施の形態を示す外観斜視図である。
【図２】同じく、要部の斜視図である。
【図３】本発明に係る第２の実施の形態を示す縦断側面図である。
【図４】本発明に係る第３の実施の形態を示す縦断側面図である。
【図５】同じく、外観平面図である。
【図６】その回路構成を示すブロック図である。
【符号の説明】
１　　商品展示棚
２　　床面
３　　広告表示プレート
３１　　広告情報
３２　　広告表示面
３３　　プレート
３４　　粘着面
３５　　台紙用プレート
３６　　粘着面
３７　　広告表示シート
３８　　画像表示部
３９　　保護カバー
４１　　受信部
４２　　充電バッテリー
４３　　コネクタ
４４　　交流・直流変換器
４５　　発信側機器
【図１】
2004117904.tif 000003
【図２】
2004117904.tif 000004
【図３】
2004117904.tif 000005
【図４】
2004117904.tif 000006
【図５】
2004117904.tif 000007
【図６】
2004117904.tif 000008